(57)【要約】  【課題】  項目を容易に把握することができる携帯機器、ならびに、携帯機器の制御方法および制御プログラを提供することを目的とする。  【解決手段】  本実施形態に係る携帯機器は、複数の項目を並べて表示し、当該項目の並びの先頭に第１の項目を表示する表示部と、新たな第２の項目が追加されたときに、前記項目の並びの設定が第１モードであると前記第２の項目を前記項目の並びの先頭に表示させ、前記項目の並びの設定が第２モードであると前記第１の項目の表示を先頭に維持する制御部と、を備える。【選択図】  図１３
2014228884.tif 000002
【特許請求の範囲】
【請求項１】
複数の項目を並べて表示し、当該項目の並びの先頭に第１の項目を表示する表示部と、
新たな第２の項目が追加されたときに、前記項目の並びの設定が第１モードであると前記第２の項目を前記項目の並びの先頭に表示させ、前記項目の並びの設定が第２モードであると前記第１の項目の表示を先頭に維持する制御部と、を備える携帯機器。
【請求項２】
前記制御部は、前記項目の並びの設定が前記第２モードであるときに前記第１の項目が削除されると、前記項目の並びの設定を前記第１モードに変更する、請求項１に記載の携帯機器。
【請求項３】
前記表示部に対する操作を受け付ける操作部を備え、
前記制御部は、
前記項目の並びの設定が第１モードであると、前記操作部で受け付けた第１の操作に基づいて前記項目の並びの先頭を変更し、
前記項目の並びの設定が第１モードであると、前記操作部で前記第１の操作を受け付けても前記第１の項目の表示を先頭に維持する、請求項１または２に記載の携帯機器。
【請求項４】
前記制御部は、前記第１の項目が変更されると、当該変更後の第１の項目を表示する、請求項１から３のいずれかに記載の携帯機器。
【請求項５】
前記表示部は、ホームウィジェットを表示し、当該ホームウィジェットに前記項目の並びを表示する、請求項１から４のいずれかに記載の携帯機器。
【請求項６】
複数の項目を並べて表示し、当該項目の並びに表示されている先頭の第１の項目を表示する表示部とを備える携帯機器の制御方法であって、
新たな第２の項目が追加されたときに、前記項目の並びの設定が第１モードであると前記第２の項目を前記項目の並びの先頭に表示させ、前記項目の並びの設定が第２モードであると前記第１の項目の表示を先頭に維持する、携帯機器の制御方法。
【請求項７】
複数の項目を並べて表示し、当該項目の並びに表示されている先頭の第１の項目を表示する表示部とを備える携帯機器の制御プログラムであって、
新たな第２の項目が追加されたときに、前記項目の並びの設定が第１モードであると前記第２の項目を前記項目の並びの先頭に表示させ、前記項目の並びの設定が第２モードであると前記第１の項目の表示を先頭に維持する、携帯機器の制御プログラム。
【発明の詳細な説明】
【技術分野】
【０００１】
本発明は、携帯機器、ならびに、携帯機器の制御方法および制御プログラムに関する。
【背景技術】
【０００２】
携帯機器には、メモなどの項目を待受画面に表示可能な機能を有しているものがある。このような携帯機器は、例えば、特許文献１に記載されている。
【先行技術文献】
【特許文献】
【０００３】
【特許文献１】特願２０１０−２０９９１２号公報
【発明の概要】
【発明が解決しようとする課題】
【０００４】
本発明は、項目を容易に把握することができる携帯機器、ならびに、携帯機器の制御方法および制御プログラを提供することを目的とする。
【課題を解決するための手段】
【０００５】
本発明の実施形態に係る携帯機器は、複数の項目を並べて表示し、当該項目の並びの先頭に第１の項目を表示する表示部と、新たな第２の項目が追加されたときに、前記項目の並びの設定が第１モードであると前記第２の項目を前記項目の並びの先頭に表示させ、前記項目の並びの設定が第２モードであると前記第１の項目の表示を先頭に維持する制御部と、を備える。
【０００６】
本発明の実施形態に係る携帯機器の制御方法は、複数の項目を並べて表示し、当該項目の並びに表示されている先頭の第１の項目を表示する表示部とを備える携帯機器の制御方法であって、新たな第２の項目が追加されたときに、前記項目の並びの設定が第１モードであると前記第２の項目を前記項目の並びの先頭に表示させ、前記項目の並びの設定が第２モードであると前記第１の項目の表示を先頭に維持する。
【０００７】
本発明の実施形態に係る携帯機器の制御プログラムは、複数の項目を並べて表示し、当該項目の並びに表示されている先頭の第１の項目を表示する表示部とを備える携帯機器の制御プログラムであって、新たな第２の項目が追加されたときに、前記項目の並びの設定が第１モードであると前記第２の項目を前記項目の並びの先頭に表示させ、前記項目の並びの設定が第２モードであると前記第１の項目の表示を先頭に維持する。
【発明の効果】
【０００８】
本発明によれば、項目を容易に把握することができる。
【図面の簡単な説明】
【０００９】
【図１】図１は、実施形態に係るスマートフォンの外観を示す斜視概略図である。
【図２】図２は、実施形態に係るスマートフォンの外観を示す正面概略図である。
【図３】図３は、実施形態に係るスマートフォンの外観を示す背面概略図である。
【図４】図４は、実施形態に係るスマートフォンの機能を示すブロック概略図である。
【図５】図５は、ホーム画面の一例を示す図である。
【図６】図６は、実施形態に係るスマートフォンの表示画面の例を示す図である。
【図７】図７は、実施形態に係るスマートフォンの表示画面の例を示す図である。
【図８】図８は、実施形態に係るスマートフォンの表示画面の例を示す図である。
【図９】図９は、実施形態に係るスマートフォンの表示画面の例を示す図である。
【図１０】図１０は、ホーム画面の一例を示す図である。
【図１１】図１１は、ホーム画面の一例を示す図である。
【図１２】図１２は、実施形態に係るスマートフォンが行う制御フローの一例を示す図である。
【図１３】図１３は、実施形態に係るスマートフォンが行う制御フローの一例を示す図である。
【図１４】図１４は、実施形態に係るスマートフォンが行う制御フローの一例を示す図である。
【図１５】図１５は、ホーム画面の一例を示す図である。
【図１６】図１６は、実施形態に係るスマートフォンが行う制御フローの一例を示す図である。
【発明を実施するための形態】
【００１０】
本発明の携帯機器を実施するための実施形態を、図面を参照しつつ詳細に説明する。以下では、携帯機器の一例として、スマートフォンを例示して説明する。
【００１１】
図１から図３を参照しながら、実施形態に係るスマートフォン１の外観について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１２】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、カメラ１３をバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１３】
タッチスクリーンディスプレイ２は、ディスプレイ２Ａと、タッチスクリーン２Ｂとを有する。ディスプレイ２Ａは、液晶ディスプレイ（Liquid Crystal Display）、有機ＥＬパネル（Organic Electro-Luminescence panel）、または無機ＥＬパネル（Inorganic Electro-Luminescence panel）等の表示デバイスを備える。ディスプレイ２Ａは、文字、画像、記号または図形等を表示する。
【００１４】
タッチスクリーン２Ｂは、タッチスクリーン２Ｂに対する指、またはスタイラスペン等の接触を検出する。タッチスクリーン２Ｂは、複数の指、またはスタイラスペン等がタッチスクリーン２Ｂに接触した位置を検出することができる。
【００１５】
タッチスクリーン２Ｂの検出方式は、静電容量方式、抵抗膜方式、表面弾性波方式（または超音波方式）、赤外線方式、電磁誘導方式、および荷重検出方式等の任意の方式でよい。静電容量方式では、指、またはスタイラスペン等の接触および接近を検出することができる。以下では、説明を簡単にするため、タッチスクリーン２Ｂが接触を検出する指、またはスタイラスペン等は単に「指」ということがある。
【００１６】
スマートフォン１は、タッチスクリーン２Ｂにより検出された接触、接触が行われた位置、接触が行われた時間、および接触が行われた位置の経時変化に基づいてジェスチャの種別を判別する。ジェスチャは、タッチスクリーンディスプレイ２に対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１７】
タッチは、タッチスクリーン２Ｂに指が触れるジェスチャである。スマートフォン１は、タッチスクリーン２Ｂに指が接触するジェスチャをタッチとして判別する。ロングタッチとは、タッチスクリーン２Ｂに指が一定時間以上触れるジェスチャである。スマートフォン１は、タッチスクリーン２Ｂに指が一定時間以上接触するジェスチャをロングタッチとして判別する。マルチタッチは、タッチスクリーン２Ｂに複数の指が触れるジェスチャである。スマートフォン１は、タッチスクリーン２Ｂに複数の指が接触するジェスチャをタッチとして判別する。リリースは、指がタッチスクリーン２Ｂから離れるジェスチャである。スマートフォン１は、指がタッチスクリーン２Ｂから離れるジェスチャをリリースとして判別する。
【００１８】
タップは、タッチに続いてリリースをするジェスチャである。スマートフォン１は、タッチに続いてリリースをするジェスチャをタップとして判別する。ダブルタップは、タッチに続いてリリースをするジェスチャが２回連続するジェスチャである。スマートフォン１は、タッチに続いてリリースをするジェスチャが２回連続するジェスチャをダブルタップとして判別する。ロングタップは、ロングタッチに続いてリリースをするジェスチャである。スマートフォン１は、ロングタッチに続いてリリースをするジェスチャをロングタップとして判別する。マルチタップは、マルチタッチに続いてリリースをするジェスチャである。スマートフォン１は、マルチタッチに続いてリリースをするジェスチャをマルチタップとして判別する。
【００１９】
スワイプは、指がタッチスクリーンディスプレイ２上に接触したままで移動するジェスチャである。スマートフォン１は、指がタッチスクリーンディスプレイ２上に接触したままで移動するジェスチャをスワイプとして判別する。ドラッグは、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２０】
フリックは、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する上フリック、指が画面の下方向へ移動する下フリック、指が画面の右方向へ移動する右フリック、指が画面の左方向へ移動する左フリック等を含む。
【００２１】
ピンチインは、複数の指が近付く方向にスワイプするジェスチャである。スマートフォン１は、複数の指が近付く方向にスワイプするジェスチャをピンチインとして判別する。ピンチアウトは、複数の指が遠ざかる方向にスワイプするジェスチャである。スマートフォン１は、複数の指が遠ざかる方向にスワイプするジェスチャをピンチアウトとして判別する。
【００２２】
スマートフォン１は、タッチスクリーン２Ｂを介して判別するこれらのジェスチャに従って動作を行う。スマートフォン１では、ジェスチャに基づいた動作が行われるので、使用者にとって直感的で使いやすい操作性が実現される。判別されるジェスチャに従ってスマートフォン１が行う動作は、タッチスクリーンディスプレイ２に表示されている画面に応じて異なる。
【００２３】
図４は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、カメラ１２および１３と、コネクタ１４と、モーションセンサ１５と、を有する。
【００２４】
タッチスクリーンディスプレイ２は、上述したように、ディスプレイ２Ａと、タッチスクリーン２Ｂとを有する。ディスプレイ２Ａは、文字、画像、記号、または図形等を表示する。タッチスクリーン２Ｂは、受付領域に対する接触を入力として受け付ける。つまり、タッチスクリーン２Ｂは、接触を検出する。コントローラ１０は、スマートフォン１に対するジェスチャを検出する。コントローラ１０は、タッチスクリーン２Ｂと協働することによって、タッチスクリーン２Ｂ（タッチスクリーンディスプレイ２）における操作（ジェスチャ）を検出する。コントローラ１０は、タッチスクリーン２Ｂと協働することによって、ディスプレイ２Ａ（タッチスクリーンディスプレイ２）における操作（ジェスチャ）を検出する。
【００２５】
ボタン３は、使用者によって操作される。ボタン３は、ボタン３Ａ〜ボタン３Ｆを有する。コントローラ１０はボタン３と協働することによってボタンに対する操作を検出する。ボタンに対する操作は、例えば、クリック、ダブルクリック、プッシュ、ロングプッシュ、およびマルチプッシュである。
【００２６】
例えば、ボタン３Ａ〜３Ｃは、ホームボタン、バックボタンまたはメニューボタンである。本実施形態では、ボタン３Ａ〜３Ｃとしてタッチセンサ型のボタンを採用している。例えば、ボタン３Ｄは、スマートフォン１のパワーオン／オフボタンである。ボタン３Ｄは、スリープ／スリープ解除ボタンを兼ねてもよい。例えば、ボタン３Ｅおよび３Ｆは、音量ボタンである。
【００２７】
照度センサ４は、照度を検出する。例えば、照度とは、光の強さ、明るさ、輝度等である。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。
【００２８】
通信ユニット６は、無線により通信する。通信ユニット６によって行われる通信方式は、無線通信規格である。例えば、無線通信規格として、２Ｇ、３Ｇ、４Ｇ等のセルラーフォンの通信規格がある。例えば、セルラーフォンの通信規格として、ＬＴＥ（Long Term Evolution）、Ｗ−ＣＤＭＡ、ＣＤＭＡ２０００、ＰＤＣ、ＧＳＭ（登録商標）、ＰＨＳ（Personal Handy-phone System）等がある。例えば、無線通信規格として、ＷｉＭＡＸ（Worldwide Interoperability for Microwave Access）、ＩＥＥＥ８０２．１１、Ｂｌｕｅｔｏｏｔｈ（登録商標）、ＩｒＤＡ、ＮＦＣ（登録商標）等がある。通信ユニット６は、上述した通信規格の１つまたは複数をサポートしていてもよい。
【００２９】
レシーバ７は、コントローラ１０から送信される音声信号を音声として出力する。マイク８は、使用者等の音声を音声信号へ変換してコントローラ１０へ送信する。なお、スマートフォン１は、レシーバ７に加えて、スピーカをさらに有してもよい。スマートフォン１は、レシーバ７に代えて、スピーカをさらに有してもよい。
【００３０】
ストレージ９は、プログラムおよびデータを記憶する。また、ストレージ９は、コントローラ１０の処理結果を一時的に記憶する作業領域としても利用される。ストレージ９は、半導体記憶デバイス、および磁気記憶デバイス等の任意の記憶デバイスを含んでよい。また、ストレージ９は、複数の種類の記憶デバイスを含んでよい。また、ストレージ９は、メモリカード等の可搬の記憶媒体と、記憶媒体の読み取り装置との組み合わせを含んでよい。
【００３１】
ストレージ９に記憶されるプログラムには、フォアグランドまたはバックグランドで実行されるアプリケーションと、アプリケーションの動作を支援する制御プログラムとが含まれる。アプリケーションは、例えば、ディスプレイ２Ａに所定の画面を表示させ、タッチスクリーン２Ｂを介して検出されるジェスチャに応じた処理をコントローラ１０に実行させる。制御プログラムは、例えば、ＯＳである。アプリケーションおよび制御プログラムは、通信ユニット６による無線通信または記憶媒体を介してストレージ９にインストールされてもよい。
【００３２】
ストレージ９は、例えば、制御プログラム９Ａ、メールアプリケーション９Ｂ、フォトアプリケーション９Ｃ、およびメモアプリケーション９Ｚなどを記憶する。メールアプリケーション９Ｂは、電子メールの作成、送信、受信、および表示等のための電子メール機能を提供する。フォトアプリケーション９Ｃは、カメラ１２，１３に映った映像を撮影する機能を提供する。メモアプリケーション９Ｚは、短い文章を記録する機能を提供する。
【００３３】
制御プログラム９Ａは、スマートフォン１を稼働させるための各種制御に関する機能を提供する。制御プログラム９Ａは、例えば、通信ユニット６、レシーバ７、およびマイク８等を制御することによって、通話を実現させる。なお、制御プログラム９Ａが提供する機能は、メールアプリケーション９Ｂ等の他のプログラムが提供する機能と組み合わせて利用されることがある。
【００３４】
コントローラ１０は、例えば、ＣＰＵ（Central Processing Unit）である。コントローラ１０は、通信ユニット６等の他の構成要素が統合されたＳｏＣ（System-on-a-Chip）等の集積回路であってもよい。コントローラ１０は、複数の集積回路を組み合わせて構成されていてもよい。コントローラ１０は、スマートフォン１の動作を統括的に制御して各種の機能を実現する。
【００３５】
具体的には、コントローラ１０は、ストレージ９に記憶されているデータを必要に応じて参照しつつ、ストレージ９に記憶されているプログラムに含まれる命令を実行して、ディスプレイ２Ａ、通信ユニット６、およびモーションセンサ１５などを制御することによって各種機能を実現する。コントローラ１０は、ストレージ９に記憶されている算出アプリケーション９Ｚに含まれる命令を実行して各種機能を実現する。コントローラ１０は、タッチスクリーン２Ｂ、ボタン３、モーションセンサ１５などの各種検出部の検出結果に応じて、制御を変更することができる。
【００３６】
カメラ１２は、フロントフェイス１Ａに面している物体を撮影するインカメラである。カメラ１３は、バックフェイス１Ｂに面している物体を撮影するアウトカメラである。
【００３７】
コネクタ１４は、他の装置が接続される端子である。本実施形態のコネクタ１４は、当該端子に接続される接続物を介してスマートフォン１と他の装置とが通信する通信部としても機能する。コネクタ１４は、ＵＳＢ（Universal Serial Bus）、ＨＤＭＩ（High-Definition Multimedia Interface）、ＭＨＬ（Mobile High-definition Link）、ライトピーク（Light Peak）、サンダーボルト（Thunderbolt）、ＬＡＮコネクタ（Local Area Network connector）、イヤホンマイクコネクタのような汎用的な端子であってもよい。コネクタ１４は、Ｄｏｃｋコネクタのような専用に設計された端子でもよい。コネクタ１４に接続される装置には、例えば、充電器、外部ストレージ、スピーカ、通信装置、情報処理装置が含まれる。
【００３８】
モーションセンサ１５は、モーションファクタを検出する。このモーションファクタは、コントローラ１０によって、自機であるスマートフォン１のコントロールファクタとして主として処理される。コントローラ１０は、モーションセンサ１５により検出されたモーションファクタを、自機のおかれた状況を示すコントロールファクタとして主として処理する。本実施形態のモーションセンサ１５には、加速度センサ１６と、方位センサ１７と、角速度センサ１８とが含まれている。
【００３９】
加速度センサ１６は、スマートフォン１に働く加速度を検出する。加速度センサ１６は、検出した加速度を出力する。例えば加速度の方向がモーションファクタとして出力されると、コントローラ１０は、スマートフォン１の動いている方向を反映したコントロールファクタとして処理に利用することが可能となる。例えば加速度の大きさが出力されると、コントローラ１０は、スマートフォン１の動いている方向を反映したコントロールファクタとして処理に利用することが可能となる。
【００４０】
方位センサ１７は、地磁気の向きを検出する。方位センサ１７は、検出した地磁気の向きを出力する。例えば地磁気の向きがモーションファクタとして出力されると、コントローラ１０は、スマートフォン１の向いている方位を反映したコントロールファクタとして処理に利用することが可能となる。例えば地磁気の向きの変化がモーションファクタとして出力されると、コントローラ１０は、スマートフォン１の向いている方位の変化を反映したコントロールファクタとして処理に利用することが可能となる。
【００４１】
角速度センサ１８は、スマートフォン１の角速度を検出する。角速度センサ１８は、検出した角速度を出力する。例えば角速度の有無がモーションファクタとして出力されると、コントローラ１０は、スマートフォン１の回転を反映したコントロールファクタとして処理に利用することが可能となる。
【００４２】
これらモーションセンサ１５の加速度センサ１６、方位センサ１７、および角速度センサ１８の出力は、複数センサの出力を組み合わせて利用することが可能である。モーションセンサ１５の出力を組み合わせて処理することによって、自機であるスマートフォン１における動きを高度に反映させた処理をコントローラ１０によって実行することが可能となる。
【００４３】
モーションセンサ１５によって検出されるーションファクタを、スマートフォン１は、姿勢変化、位置変化、および方向変化の少なくとも１つを反映したコントロールファクタとして処理する。このコントロールファクタとして処理は、コントローラ１０によって実行される。このモーションファクタを姿勢変化のコントロールファクタとして利用する例としては、画面の表示方向を変更する処理が挙げられる。このモーションファクタを位置変化のコントロールファクタとして利用する例としては、ＧＰＳ信号を受信できない場所でスマートフォン１の位置を更新する処理が挙げられる。この処理は、ＧＰＳ信号を受信できない場所に限られるものではなく、位置精度を高めるべく、ＧＰＳ信号と併せて処理することも可能である。このモーションファクタを方向変化のコントロールファクタとして利用する例としては、地磁気が検知できない場所でスマートフォン１の方向を更新する処理が挙げられる。この処理は、地磁気が検知できない場所に限られるものではなく、方向の精度を高めるべく、地磁気の検出信号と併せて処理することも可能である。
【００４４】
なお、図４においてストレージ９が記憶することとしたプログラムの一部または全部は、通信ユニット６による無線通信で他の装置からダウンロードされてもよい。また、図４においてストレージ９が記憶することとしたプログラムの一部または全部は、ストレージ９に含まれる読み取り装置が読み取り可能な記憶媒体に記憶されていてもよい。また、図４においてストレージ９が記憶することとしたプログラムの一部または全部は、コネクタ１４に接続される読み取り装置が読み取り可能なフラッシュメモリ、ＨＤＤ（Hard Disc Drive）、ＣＤ（Compact Disc）、ＤＶＤ（Digital Versatile Disc）、またはＢＤ（Blu-ray Disc）などの記憶媒体に記憶されていてもよい。
【００４５】
図４に示したスマートフォン１の構成は一例であり、本発明の要旨を損なわない範囲において適宜変更してよい。例えば、ボタン３の数と種類は図４の例に限定されない。例えば、スマートフォン１は、画面に関する操作のためのボタンとして、ボタン３Ａ〜３Ｃに代えて、テンキー配列またはＱＷＥＲＴＹ配列等のボタンを備えていてもよい。スマートフォン１は、画面に関する操作のために、ボタンを１つだけ備えてもよいし、ボタンを備えなくてもよい。図４に示した例では、スマートフォン１が２つのカメラを備えることとしたが、スマートフォン１は、１つのカメラのみを備えてもよいし、カメラを備えなくてもよい。照度センサ４と近接センサ５とは、１つのセンサから構成されていてもよい。
【００４６】
図５を参照しながら、ディスプレイ２Ａに表示される画面の例について説明する。図５は、ホーム画面の一例を示している。ホーム画面は、デスクトップ、ランチャ、または待受画面（idle screen）と呼ばれることもある。ホーム画面は、ディスプレイ２Ａに表示される。ホーム画面は、スマートフォン１にインストールされているアプリケーションのうち、どのアプリケーションを実行するかを使用者に選択させる画面として機能する。スマートフォン１は、ホーム画面で選択されたアプリケーションをフォアグランドで実行する。フォアグランドで実行されるアプリケーションの画面は、ディスプレイ２Ａの表示領域４０に表示される。
【００４７】
スマートフォン１は、ホーム画面にアイコンを配置することができる。図５に示すホーム画面５０は、ディスプレイ２Ａの表示領域のうち第１領域４１に表示されている。ホーム画面５０には、複数のアイコン５１が配置されている。それぞれのアイコン５１は、スマートフォン１にインストールされているアプリケーションと予め対応付けられている。ホーム画面５０には、メモアプリケーション９Ｚと対応付けられたメモアイコン５１ａが配置されている。スマートフォン１は、アイコン５１に対するジェスチャを検出すると、そのアイコン５１に対応付けられているアプリケーションを実行する。例えば、スマートフォン１は、メールアプリケーションに対応付けられたアイコン５１に対するタップが検出されると、メールアプリケーションを実行する。例えば、メモアイコン５１ａに対するタップが検出されると、メモアプリケーション９Ｚを実行する。
【００４８】
スマートフォン１は、メールアプリケーションをフォアグランドで実行している状態で、例えばボタン３Ｂに対するクリックが検出されると、ホーム画面５０をディスプレイ２Ａの第１領域４１に表示し、メールアプリケーションをバックグランドで実行する。そして、スマートフォン１は、メモアプリケーションに対応付けられたアイコン５１に対するタップが検出されると、メモアプリケーションをフォアグランドで実行する。スマートフォン１は、フォトアプリケーションに対応付けられたアイコン５１に対するタップが検出されると、フォトアプリケーションをフォアグランドで実行する。バックグランドで実行されているアプリケーションは、当該アプリケーションおよび他のアプリケーションの実行状況に応じて中断したり、終了させたりすることが可能である。
【００４９】
アイコン５１は、画像と文字列を含む。アイコン５１は、画像に代えて、記号または図形を含んでもよい。アイコン５１は、画像または文字列のいずれか一方を含まなくてもよい。アイコン５１は、所定の規則に従って配置される。アイコン５１の背後には、壁紙５２が表示される。壁紙は、フォトスクリーンまたはバックスクリーンと呼ばれることもある。スマートフォン１は、任意の画像を壁紙５２として用いることができる。画像は、例えば、使用者の設定に従って任意の画像が壁紙５２として決定される。
【００５０】
スマートフォン１は、ホーム画面の数を増減することができる。スマートフォン１は、例えば、ホーム画面の数を使用者による設定に従って決定する。スマートフォン１は、ホーム画面の数が複数であっても、選択された１つをディスプレイ２Ａに表示する。スマートフォン１は、ホーム画面上に、１つまたは複数のロケータを表示する。ロケータのシンボルの数は、ホーム画面の数と一致する。ロケータのシンボル５３は、現在表示されているホーム画面の位置を示す。現在表示されているホーム画面に対応するシンボルは、他のシンボルと異なる態様で表示される。図５に示す例では、５つのシンボルを含むロケータ５１が表示されている。これは、ホーム画面５０の数が５つであることを示す。５つのシンボル各々は、円形である。また、図５に示す例では、左端のシンボルが他のシンボルと異なる態様で表示されている。すなわち、左端のシンボルを除くシンボルは円形の枠として表示されているが、左端のシンボルは円形の枠の内部が塗りつぶされた状態で表示されている。これは、左端のホーム画面が現在ディスプレイ２Ａに表示されていることを示している。
【００５１】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。また、スマートフォン１は、左フリックを検出すると、ディスプレイ２Ａに表示するホーム画面を１つ右のホーム画面に切り替える。スマートフォン１は、ホーム画面を変更すると、ロケータの表示を、変更後のホーム画面の位置に合わせて更新する。
【００５２】
ディスプレイ２Ａの表示領域４０の上端には、第２領域４２が設けられている。第２領域４２には、充電池の残量を示す残量マーク４２１、通信用の電波の電界強度を示す電波レベルマーク４２２、および現在時刻４２３が表示される。スマートフォン１は、第２領域４２に、天気の情報、実行中のアプリケーション、通信システムの種別、電話のステータス、装置のモード、装置に生じたイベント等を表示してもよい。第２領域４２は、使用者に対して各種の通知を行うために用いられる。第２領域４２は、ホーム画面５０以外の画面でも設けられることがある。第２領域４２が設けられる位置は、ディスプレイ２Ａの上端に限られない。
【００５３】
ここで、ホーム画面５０の上下方向について説明する。ホーム画面５０の上下方向は、ディスプレイ２Ａに表示される文字または画像の上下方向を基準とした方向である。よって、長手方向に沿ってホーム画面５０が表示されている場合、タッチスクリーンディスプレイ２の長手方向において第２領域４２に近い側がホーム画面５０の上側となり、第２領域４２から遠い側がホーム画面５０の下側となる。第２領域４２において現在時刻４２３が表示されている側がホーム画面５０の右側であり、第２領域４２において現在時刻４２３が表示されていない側がホーム画面５０の左側である。
【００５４】
なお、図５に示したホーム画面５０は、一例であり、各種の要素の形態、各種の要素の配置、ホーム画面５０の数、およびホーム画面５０での各種の操作の方法等は上記の説明の通りでなくてもよい。
【００５５】
スマートフォン１は、ホーム画面５０にホームウィジェット５４を表示する。ホームウィジェット５４は、ホーム画面５０で動作する小規模なアクセサリーソフトである。ホームウィジェット５４は、スマートフォン１にインストールされているアプリケーションの昨日の一部と予め対応付けられている。スマートフォン１は、ホームウィジェット５４に対するタップを検出すると、ホームウィジェット５４に対応するアプリケーションを実行する。例えば、スマートフォン１は、サーチアプリケーションに対応付けられたホームウィジェット５４に対するタップが検出されると、サーチアプリケーションをフォアグランドで実行する。スマートフォン１は、ホームウィジェット５４の１つであるメモウィジェット５４ａをホーム画面５０に表示している。メモウィジェット５４ａは、メモアプリケーション９Ｚに対応付けられている。スマートフォン１は、メモウィジェット５４ａに対するタップが検出されると、メモアプリケーションをフォアグランドで実行する。
【００５６】
以下に、スマートフォン１が実行するメモアプリケーション９Ｚの動作について図６〜８を参照して説明する。図６は、メモアプリケーション９Ｚの実行画面例である。このメモアプリケーション９Ｚの実行画面は、メモアイコン５１ａに対するタップが検出された場合に表示される。図６に示した画面例では、項目６１と、追加アイコン６２と、削除アイコン６３と、設定アイコン６４とが表示される。
【００５７】
項目６１は、メモアプリケーション９Ｚに記憶されたメモの個別レコードである。この項目６１に記載された内容は、ストレージ９に記憶される。図６に示した画面例では、個別の項目に対応付けて記憶された内容の一部を表示している。図６に示した画面例では、個別の項目が作成または修正された日付が表示されている。図６に示した画面例では、複数の項目が新しく作成された日付順に上から表示されている。スマートフォン１は、項目６１に対するタップを検出すると、各項目６１の詳細画面を表示する。詳細画面では、各項目に対応付けて記憶された内容の全容を確認することができる。詳細画面では、表示している項目の内容を編集することが可能である。詳細画面を経て変更された項目は、実行画面に表示される。図６に示した実行画面において、“Sample-3”と表示された項目を“Sample-3rd”に変更した画面例を図７に示す。“Sample-3”と表示されていた項目は、作成された日時が更新されて最も新しくなるので、“Sample-4”と表示された項目６１の上側に表示される。
【００５８】
追加アイコン６２は、新規に項目を作成する機能と対応付けられたアイコンである。スマートフォン１は、追加アイコン６２に対するタップを検出すると、新規項目の作成画面に遷移する。作成画面を経て新規に追加された項目は、ストレージ９に記憶される。作成画面を経て新規に追加された項目は、実行画面に表示される。図６に示した実行画面において、新たな項目として“Sample-5”を追加した画面例を図８に示す。“Sample-5”と表示された項目６１は、作成された日時が最も新しいので、“Sample-5”と表示された項目６１の上側に表示される。
【００５９】
削除アイコン６３は、作成済みの項目を削除する機能と対応付けられたアイコンである。スマートフォン１は、削除アイコン６３に対するタップを検出すると、削除する項目を選択する選択画面に遷移する。図８に示した実行画面において、項目を削除する選択画面を経て“Sample-4”と表示された項目６１を削除した画面例を図９に示す。“Sample-4”と表示された項目６１が削除されると、“Sample-3”と表示された項目６１は、上側に詰めて表示される。“Sample-3”と表示された項目６１は、上側に詰められた結果、“Sample-5”と表示された項目６１と上下に並んで表示される。
【００６０】
スマートフォン１は、項目６１に対するロングタッチを検出すると、当該項目に関連する機能を選択するポップアップ画面を表示する。表示されるポップアップ画面には、削除機能が含まれている。スマートフォン１は、表示されたポップアップ画面で削除が選択されると、ロングタッチが検出された項目を削除する。
【００６１】
設定アイコン６４は、メモアプリケーション９Ｚの設定機能と対応付けられたアイコンである。スマートフォン１は、設定アイコン６４に対するタップを検出すると、メモアプリケーション９Ｚの設定画面に遷移する。この設定画面では、項目６１を順番に並べるための規則を変更することができる。
【００６２】
以下に、ホーム画面５０に表示されたメモウィジェット５４ａの動作について図５〜図１６を参照して説明する。メモウィジェット５４ａでは、メモアプリケーション９Ｚに記憶された複数の項目６１に対応するシート５４ｂが複数並べて表示されている。図５に示したホーム画面５０では、複数のシート５４ｂの一部が重ねて表示されている。図５に示したホーム画面５０では、“Sample-4”が記憶された項目６１に対応するシート５４ｂが並びの先頭に表示されている。
【００６３】
本実施形態のメモウィジェット５４ａには、シート５４ｂの並びの設定を示すモードアイコンが表示されている。本実施形態のメモウィジェット５４ａでは、シート５４ｂの並びの設定が第１モードに設定されていると第１モードアイコン５４ｃ１が表示され、シート５４ｂの並びの設定が第２モードに設定されていると第２モードアイコン５４ｃ２が表示される。先に示した図５には、第１モードアイコン５４ｃ１が表示されている。図５に示したホーム画面５０では、シート５４ｂの並びが第１モードに設定されている。
【００６４】
スマートフォン１は、メモウィジェット５４ａに対するジェスチャを検出すると、検出したジェスチャに応じて種々の動作を実行する。スマートフォン１は、メモウィジェット５４ａに対するタップを検出すると、並びの先頭に表示されているシート５４ｂに対応する項目６１の詳細画面を表示する。スマートフォン１では、メモウィジェット５４ａに対してタップすることで、図６に示した実行画面例を経ずに詳細画面を表示することができる。
【００６５】
スマートフォン１は、図５に示したように、シート５４ｂの並びの設定が第１モードに設定されているときに、メモウィジェット５４ａに対する上フリックまたは下フリックを検出すると、メモウィジェット５４ａに表示されているシート５４ｂの並びの先頭を変更する。つまり、この第１モードとは、シート５４ｂの並びの先頭の変更を許可するモードである。ここでは、上フリックを検出すると、“Sample-4”が記憶された項目６１より新しい項目である“Sample-5”が記憶された項目６１に対応するシート５４ｂを図１０に示したように表示する。下フリックを検出すると、“Sample-4”が記憶された項目６１より古い項目である“Sample-3”が記憶された項目６１に対応するシート５４ｂを表示する。なお、“Sample-4”が記憶された項目６１よりも新しい項目が追加されていないときに、上フリックを検出した場合、スマートフォン１は、最も古い項目である“Sample-1”が記憶された項目６１に対応するシート５４ｂを表示する。
【００６６】
図１１に示したホーム画面５０では、シート５４ｂの並びが第２モードに設定されている。図１１に示したホーム画面５０では、シート５４ｂの並びが第２モードに設定されていること示す第２モードアイコン５４ｃ２がメモウィジェット５４ａに表示されている。スマートフォン１は、図１１に示したように、シート５４ｂの並びの設定が第２モードに設定されているときに、メモウィジェット５４ａに対する上フリックまたは下フリックを検出しても、メモウィジェット５４ａに表示されているシート５４ｂの並びの先頭を変更せずに、シート５４ｂの並びの先頭の表示を維持する。よって、図１１に示したホーム画面５０では、メモウィジェット５４ａにおいて上フリックまたは下フリックを検出しても画面が変更されずに維持される。つまり、この第２モードとは、シート５４ｂの並びの先頭の変更を制限するモードである。
【００６７】
上述した、スマートフォン１がメモウィジェット５４ａに対する上フリックまたは下フリックを検出した場合の動作について、図１２に示した制御フローを参照して説明する。
【００６８】
ステップ１０１において、スマートフォン１は、上フリックまたは下フリックを検出する。ステップ１０１は、上フリックまたは下フリックを検出するまで繰り返される。スマートフォン１は、上フリックまたは下フリックを検出すると、ステップ１０１からステップ１０２に進む。ステップ１０２では、シート５４ｂの並びの設定が第１モードであるかを判別する。この判別は、コントローラ１０によって実行される。スマートフォン１がシート５４ｂの並びの設定が第１モードに設定されていると判断すると、ステップ１０２からステップ１０３に進む。ステップ１０３では、ステップ１０１において検出した上フリックまたは下フリックに従って、シート５４ｂの並びの先頭を変更し、このフローを終了する。ステップ１０２において、スマートフォン１がシート５４ｂの並びの設定が第１モードに設定されていないと判断すると、ステップ１０２からステップ１０４に進む。ステップ１０２からステップ１０４に進む場合は、シート５４ｂの並びが第２モードに設定されている。ステップ１０４では、シート５４ｂの並びの先頭を変更せずに、シート５４ｂの並びの先頭の表示を維持し、このフローを終了する。
【００６９】
なお、この実施形態および図１２の制御フローでは、上フリックまたは下フリックを検出した上でシート５４ｂの並びの先頭を維持しているが、第２モードに設定されると、上フリックまたは下フリックを検出しないように変更してもよい。この場合、上フリックまたは下フリックが検出されないので、上述の実施形態と同様に、シート５４ｂの並びの先頭が維持される。
【００７０】
以下に、メモアプリケーション９Ｚにおいて新たな項目６１が追加された場合のメモウィジェット５４ａの動作について説明する。ここでは、メモアプリケーション９Ｚにおいて、図６に示したように４つの項目６１が表示されている状態から、作成画面を経て、図８に示したように“Sample-5”と表示された項目６１が新規に追加された場合を例に挙げて、メモウィジェット５４ａの動作について説明する。
【００７１】
スマートフォン１は、図５に示したように、シート５４ｂの並びの設定が第１モードに設定されているときに、メモアプリケーション９Ｚにおいて新たな項目６１が追加されると、新たに追加された項目６１に対応するシート５４ｂを、シート５４ｂの並びの先頭に変更する。ここでは、新たに追加された項目である“Sample-5”が記憶された項目６１に対応するシート５４ｂを図１０に示したように表示する。
【００７２】
スマートフォン１は、図１１に示したように、シート５４ｂの並びの設定が第２モードに設定されているときに、メモアプリケーション９Ｚにおいて新たな項目６１が追加されると、メモウィジェット５４ａに表示されているシート５４ｂの並びの先頭を変更せずに、シート５４ｂの並びの先頭を維持する。よって、図１１に示したホーム画面５０では、メモアプリケーション９Ｚにおいて、新たな項目６１が追加されても画面が変更されずに維持される。
【００７３】
上述した、メモアプリケーション９Ｚにおいて新たな項目６１が追加された場合のメモウィジェット５４ａの動作について、図１３に示した制御フローを参照して説明する。
【００７４】
ステップ２０１において、スマートフォン１は、メモアプリケーション９Ｚにおいて新たな項目６１が追加されたか否かを検出する。ステップ２０１は、メモアプリケーション９Ｚにおいて新たな項目６１が追加されるまで繰り返される。スマートフォン１は、メモアプリケーション９Ｚにおいて新たな項目６１が追加されると、ステップ２０２に進む。ステップ２０２では、シート５４ｂの並びの設定が第１モードであるかを判別する。この判別は、コントローラ１０によって実行される。スマートフォン１がシート５４ｂの並びの設定が第１モードに設定されていると判断すると、ステップ２０２からステップ２０３に進む。ステップ２０３では、ステップ２０１において追加された項目６１に対応するシート５４ｂを、シート５４ｂの並びの先頭に変更し、このフローを終了する。ステップ２０２において、スマートフォン１がシート５４ｂの並びの設定が第１モードに設定されていないと判断すると、ステップ２０４に進む。ステップ２０４に進む場合は、シート５４ｂの並びが第２モードに設定されている。ステップ２０４では、並びの先頭のシート５４ｂを変更せずに、並びの先頭のシートの表示を維持し、このフローを終了する。
【００７５】
以下に、メモアプリケーション９Ｚにおいて項目６１が削除された場合のメモウィジェット５４ａの動作について説明する。ここでは、メモアプリケーション９Ｚにおいて、図８に示したように５つの項目６１が表示されている状態から、作成画面を経て、図９に示したように“Sample-4”と表示された項目６１の削除された場合を例に挙げて、メモウィジェット５４ａの動作について説明する。
【００７６】
図５に示したように、シート５４ｂの並びの設定が第１モードに設定されている場合を考える。メモウィジェット５４ａにおいて並びの先頭に表示されているシート５４ｂに対応する項目６１の削除がメモアプリケーション９Ｚにおいて選択されると、スマートフォン１は、シート５４ｂの並びの先頭を変更する。ここでは、メモアプリケーション９Ｚに記憶された項目６１のうち最も新しい項目６１である“Sample-5”に対応するシート５４ｂを図１０に示したように並びの先頭に表示する。並びの先頭に表示されるシート５４ｂは、最も新しい項目６１に限定されるものではない。
【００７７】
図１０に示したように、シート５４ｂの並びの設定が第１モードに設定されている場合を考える。メモウィジェット５４ａにおいて並びの先頭に表示されていないシート５４ｂに対応する項目６１の削除が、メモアプリケーション９Ｚにおいて選択されると、シート５４ｂの並びの先頭の表示が変更されず、シート５４ｂの並びの先頭の表示が維持される。
【００７８】
図１１に示したように、シート５４ｂの並びの設定が第２モードに設定されている場合を考える。メモウィジェット５４ａにおいて並びの先頭に表示されているシート５４ｂに対応する項目６１の削除がメモアプリケーション９Ｚにおいて選択されると、スマートフォン１は、シート５４ｂの並びの先頭を変更する。加えて、スマートフォン１は、シート５４ｂの並びの設定を第２モードから第１モードに変更する。ここでは、メモアプリケーション９Ｚに記憶された項目６１のうち最も新しい項目６１である“Sample-5”に対応するシート５４ｂを図１０に示したように並びの先頭に表示する。並びの先頭に表示されるシート５４ｂは、最も新しい項目６１に限定されるものではない。
【００７９】
上述した、メモアプリケーション９Ｚにおいて項目６１が削除された場合のメモウィジェット５４ａの動作について、図１４に示した制御フローを参照して説明する。
【００８０】
ステップ３０１において、スマートフォン１は、メモアプリケーション９Ｚにおいて項目６１の削除が選択されたか否かを検出する。ステップ３０１は、メモアプリケーション９Ｚにおいて項目６１の削除が選択されるまで繰り返される。スマートフォン１は、メモアプリケーション９Ｚにおいて項目６１の削除が選択されると、ステップ３０１からステップ３０２に進む。ステップ３０２では、削除が選択された項目６１に対応するメモウィジェット５４ａにおけるシート５４ｂが、シート５４ｂの並びの先頭であるか否かを判断する。ステップ３０２において、削除が選択された項目６１に対応するシート５４ｂが、シート５４ｂの並びの先頭であると、スマートフォン１が判断すると、ステップ３０２からステップ３０３に進む。ステップ３０３では、シート５４ｂの並びの設定が第２モードであるかを判別する。この判別は、コントローラ１０によって実行される。ステップ３０３において、スマートフォン１がシート５４ｂの並びの設定が第２モードに設定されていると判断すると、ステップ３０３からステップ３０４に進む。ステップ３０４では、スマートフォン１がシート５４ｂの並びの設定を第２モードから第１モードに変更し、ステップ３０５に進む。ステップ３０５では、スマートフォン１がシート５４ｂの並びの先頭を変更し、スッテプ３０６に進む。ステップ３０６では、ステップ３０１において削除が選択された項目６１をスマートフォン１が削除し、このフローを終了する。
【００８１】
ステップ３０３において、スマートフォン１がシート５４ｂの並びの設定が第２モードに設定されていないと判断すると、ステップ３０３からステップ３０７に進む。ステップ３０３からステップ３０７に進む場合は、シート５４ｂの並びが第１モードに設定されている。ステップ３０５では、スマートフォン１がシート５４ｂの並びの先頭を変更し、スッテプ３０８に進む。ステップ３０８では、ステップ３０１において削除が選択された項目６１をスマートフォン１が削除し、このフローを終了する。ステップ３０２において、削除が選択された項目６１に対応するシート５４ｂが、シート５４ｂの並びの先頭でないと、スマートフォン１が判断すると、ステップ３０２からステップ３０８に進む。ステップ３０８では、上述した制御が実行され、このフローが終了する。
【００８２】
以下に、メモアプリケーション９Ｚにおいて項目６１が編集された場合のメモウィジェット５４ａの動作について説明する。ここでは、メモアプリケーション９Ｚにおいて、図６に示したように“Sample-4”と表示された項目６１が表示されている状態から、当該“Sample-4”と表示された項目６１が編集されて、図７に示したように“Sample-3rd”と変更された場合を例に挙げて、メモウィジェット５４ａの動作について説明する。
【００８３】
スマートフォン１は、図５に示したように、シート５４ｂの並びの設定が第１モードに設定されているときに、メモアプリケーション９Ｚにおいて項目６１が変更されると、変更された項目６１に対応するシート５４ｂを、シート５４ｂの並びの先頭に変更する。ここでは、新たに追加された項目である“Sample-3rd”が記憶された項目６１に対応するシート５４ｂを図１５に示したように表示する。
【００８４】
スマートフォン１は、図１１に示したように、シート５４ｂの並びの設定が第２モードに設定されているときに、メモアプリケーション９Ｚにおいて項目６１が変更されると、メモウィジェット５４ａに表示されているシート５４ｂの並びの先頭を変更せずに、シート５４ｂの並びの先頭を維持する。よって、図１１に示したホーム画面５０では、メモアプリケーション９Ｚにおいて、新たな項目６１が追加されても画面が変更されずに維持される。
【００８５】
上述した、メモアプリケーション９Ｚにおいて新たな項目６１が追加された場合のメモウィジェット５４ａの動作について、図１６に示した制御フローを参照して説明する。
【００８６】
ステップ４０１において、スマートフォン１は、メモアプリケーション９Ｚにおいて項目６１が変更されたか否かを検出する。ステップ２０１は、メモアプリケーション９Ｚにおいて項目６１が変更されるまで繰り返される。スマートフォン１は、メモアプリケーション９Ｚにおいて項目６１が変更されると、ステップ２０２に進む。ステップ２０２では、シート５４ｂの並びの設定が第１モードであるかを判別する。この判別は、コントローラ１０によって実行される。スマートフォン１がシート５４ｂの並びの設定が第１モードに設定されていると判断すると、ステップ２０２からステップ２０３に進む。ステップ２０３では、ステップ２０１において変更された項目６１に対応するシート５４ｂを、シート５４ｂの並びの先頭に変更し、このフローを終了する。ステップ２０２において、スマートフォン１がシート５４ｂの並びの設定が第１モードに設定されていないと判断すると、ステップ２０４に進む。ステップ２０４に進む場合は、シート５４ｂの並びが第２モードに設定されている。ステップ２０４では、並びの先頭のシート５４ｂを変更せずに、並びの先頭のシートの表示を維持し、このフローを終了する。
【００８７】
本発明を完全かつ明瞭に開示するために特徴的な実施例に関し記載してきた。しかし、添付の請求項は、上記実施例に限定されるべきものでなく、本明細書に示した基礎的事項の範囲内で当該技術分野の当業者が創作しうるすべての変形例および代替可能な構成を具現化するように構成されるべきである。
【符号の説明】
【００８８】
１  スマートフォン
２  タッチスクリーンディスプレイ
２Ａ  ディスプレイ
２Ｂ  タッチスクリーン
９  ストレージ
９Ａ  制御プログラム
９Ｂ  メールアプリケーション
９Ｃ  フォトアプリケーション
９Ｚ  メモアプリケーション
１０  コントローラ
４０  表示領域
４１  第１領域
４２  第２領域
５０  ホーム画面
５１  アイコン
５１ａ  メモアイコン
５４  ホームウィジェット
５４ａ  メモウィジェット
５４ｂ  シート
５４ｃ１  第１モードアイコン
５４ｃ２  第２モードアイコン
６１  項目
６２  追加アイコン
６３  削除アイコン
【図１】
2014228884.tif 000003
【図２】
2014228884.tif 000004
【図３】
2014228884.tif 000005
【図４】
2014228884.tif 000006
【図５】
2014228884.tif 000007
【図６】
2014228884.tif 000008
【図７】
2014228884.tif 000009
【図８】
2014228884.tif 000010
【図９】
2014228884.tif 000011
【図１０】
2014228884.tif 000012
【図１１】
2014228884.tif 000013
【図１２】
2014228884.tif 000014
【図１３】
2014228884.tif 000015
【図１４】
2014228884.tif 000016
【図１５】
2014228884.tif 000017
【図１６】
2014228884.tif 000018